(57)【要約】【課題】災害時、特に巨大な地震発生時に都市部で働いているビジネスマン／ウーマンは公共交通機関が停止した中でも、家族の安否をきずかい何とかして家に帰ることを試みる人達が沢山いる。この時、仕事場所から家までを歩くとなると少なくとも５〜６時間（或いはそれ以上）は必要となるが、仕事で使用しているシューズはビジネス用のものであるため、長時間の歩行には難があり、また地震により崩壊した建造物が道路をふさぎ、ビジネスシューズで歩行するには難しい局面に出くわすことも多く、疲労感を拭いさることができない。【解決手段】ビジネスシューズをスッポリ覆う素材（図１の１）、つまり靴の底にあたる部分（図３の２）はある程度の硬さがありスニーカーのような歩き易い感覚と形状をしている。靴の表面（図３の３）は薄くて軽く伸び縮みするが変形に強い素材で形成され、且つ使用しない時は、小さく丸められて何処にでも入れられて持ち運びが簡単にできる。価格は安く、使い捨て（リサイクル）が可能とする。【選択図】図１
2014061063.tif 000002
【特許請求の範囲】
【請求項１】
大地震や災害発生時の後に安全地帯に移動しようとする場合に、ビジネスシューズはガレキや障害物が散乱しているために歩くには適していないし、泥水の中を歩かなければならない状況が発生する。また、みぞれ降る寒い冬に発生する可能性もある。底は耐久性のある素材（熱にも強い）からなり、ビジネスシューズをスニーカーもどきに変えるビジネスシューズを覆う作用物。
【請求項２】
素材としては、耐熱性・耐寒性の高いシリコーンゴムをベースにして作用物は製造される。
【請求項３】
夜間も安全に歩行できるように圧電素子とＬＥＤの組み合わせによる動くものの認識も特許請求の範囲とする。
【発明の詳細な説明】
【技術分野】
【０００１】
本発明は、ビジネスシューズをスッポリ覆いかぶせるもので、底の部分の素材と側面の部分の素材は、それぞれ耐久性・耐熱性・耐寒性のある素材と伸び縮みしてビジネスシューズにフィットする素材からなり、また作用物がずれないようにストッパーで締め付ける構造になっている。また、雨や泥水に対応できるために、シューズ全体をスッポリ覆い、水がシューズの中に入らない構造にしたものである。
【０００２】
本発明は、大震災や大災害時の後の歩行について、ビジネスシューズを覆うことにより、より歩きやすく、且つ安全に歩行が出来るようにしたもので、作用物の底部には圧電素子を埋め込みＬＥＤとリンクして夜間でも歩行者の存在が認識できるようにしたものである。
【背景技術】
【０００３】
ビジネスマン／ビジネスウーマンは、通常会社に出勤する場合、革靴を履いて出勤するのが一般的である。２０１１年３月１１日に発生した東日本大震災・津波をきっかけに災害に対する国民の考え方が変わり、常に災害発生のことを念頭に置いての災害グッズの備え（水、食べ物、ライト、簡易トイレ等々）が家庭・会社・公共施設ではされている。
一方ビジネス前線で働くビジネスマン／ビジネスウーマンは、災害発生時には会社の指示に従った行動するが、家族の安否をきずかい交通機関が全面停止していても家に帰ることを試みる人達が沢山いる。この時、ガレキや火災が発生している場所を革靴で歩くには色々の面で難がある。また、災害は季節や昼・夜に無関係に突然発生する。例えば、寒い冬のしかもみぞれ降るような状況下で発生した場合には、歩行することさえ大変なことになり、ましてや革靴での歩行は極めて危険である。
【０００４】
このような問題を克服し、身の安全を保証することを意図した発明の提案は今までにないが、別の観点からは特許文献１〜２に記載の発明はある。
特開２００３−２１０２０１号広報（特許文献１）には、少量の降雨時の屋外歩行に於いて、革靴等の晴天時用の靴を履き続けていても靴を濡らすことが回避出来る手軽な靴の防水対策を提供する提案がされている。
特開平０８−２７５８０３号広報（特許文献２）には、バイクや自転車の乗用者に対して、雨降り時にふきつける雨や、カッパをつたい落ちる雨水から、靴をガードする防水具を提供する提案がされている。
【先行技術文献】
【特許文献】
【０００５】
【特許文献１】特開２００３−２１０２０１号公報
【特許文献２】特開平０８−２７５８０３号公報
【発明の概要】
【発明が解決しようとする課題】
【０００６】
これは次のようなことがあった。
１  ガレキの中を歩く場合に、ビジネスシューズでは歩行が難しい。
２  長時間歩かなくてはならない時に疲労感を感じる。
３  雨の中や泥水の中を歩行するとビジネスシューズの中に雨水・泥水が入ってくる。
４  被災地での夜間の歩行時、人の存在の確認が難しい。
本発明は、上記の欠点を解決するためになされたものである。
【課題を解決するための手段】
【０００７】
ビジネスシューズをスッポリ覆う素材（図１）、つまり靴の底にあたる部分（図４の２）はある程度の硬さがありスニーカーのような歩きやすい感覚と形状をしている。靴の表面（図４の３）は薄くて軽く伸び縮みするが変形に強い素材で形成され、且つ使用しない時は、小さく丸められて何処にでも入れられて持ち運びが簡単に出来る作用物である。価格は安く、使い捨て（リサイクル）が可能とするものである。
【発明の効果】
【０００８】
大震災、大災害を望んではいないが、もし都市部でそのような状況に遭遇した場合に人の安全確保は最優先であるが、同時に安全地域への移動のためには、想像を絶するようなガレキの中を安全を確保しつつ歩行しなくてはならない。この場合ビジネスシューズでその中を歩行するのは難しい。（特に、冬の季節、雨の中、泥水の中、夜間の歩行等）
ビジネスシューズに作用物をスッポリ覆うことにより、厳しい環境の中でもスニーカー感覚で歩行することができ、安全・安心の確保に通じる。
【図面の簡単な説明】
【０００９】
【図１】図１は全体イメージ図である。
【図２】図２は上から見た図である。
【図３】図３は横から見た図である。
【図４】図４は下から見た図である。
【発明を実施するための形態】
【００１０】
素材としては、耐久性・耐熱性・耐寒性に優れたシリコーンゴムを使用し、側面はある程度の伸縮性を持たせてビジネスシューズにフィットできるようにし、底部はスニーカーもどきの感覚が得られる厚さ（圧電素子＋ＬＥＤ回路を内蔵させる）とする。また、雨水、泥水がシューズの中に入らないようにくろぶしまで覆う構造とし、使い捨てのために低価格で実現する。
【実施例】
【００１１】
実施例について図面を用いて説明する。
ビジネスシューズをスッポリ覆いかぶせる作用物で、全体の素材（図１の１）は、柔軟性、耐久性に優れたシリコーンゴムをベースにしたもので、スニーカー感覚を持たせるために底の部分（図３の２）は、側面に比べて厚みを持たせ、側面部分（図３の３）は、ビジネスシューズにフィットするように伸縮性が考慮されている。
付けやすさ容易にするためにファスナー（図１の４）を使用し、全体をしっかり固定するためのストッパー（図１の５）が付いている。
また、夜間の歩行時に、歩行者が認識できるように後方部分（図３の６）にＬＥＤが埋め込まれている。ＬＥＤの点灯は、作用物の底部に埋め込まれた電気を発生する装置（圧電素子と電気を制御する簡単な回路でチップ化されている（図４の７））から供給される。
また、作用物の底部は、歩行のしやすさ、滑りにくさを考慮した形状（図４の８）にしてあることと、凍結した路面も歩行しやすいように滑り止め（図４の９）が付けられるようにもなっている。
【符号の説明】
【００１２】
１  素材
２  底部の厚み
３  側面部分
４  ファスナー
５  ストッパー
６  後方部のＬＥＤ
７  電気発生チップ
８  底部の形状
９  滑り止め装着部
【図１】
2014061063.tif 000003
【図２】
2014061063.tif 000004
【図３】
2014061063.tif 000005
【図４】
2014061063.tif 000006